(57)【要約】【課題】管理者による指示及び使用者による指示の何れもが可能であることから、これから受け付ける指示の予測が困難な場合においても、より確実に指示を予測し、予測した指示に係る操作画面を表示でき、使用者の動作を省いて操作性を向上させることができる表示装置、表示方法、コンピュータプログラム及び記録媒体を提供する。【解決手段】管理者又は使用者からの指示を予測して、予測した指示に係る操作画面を表示する表示装置において、外部記憶媒体が接続されている場合、該外部記憶媒体に記憶されているファイルの属性を検出し、該検出の結果に基づき、これから受け付ける指示が管理者の指示か又は使用者の指示かを決定し、該決定の結果に基づき、予測した指示に係る操作画面を表示部５に表示する。【選択図】図３
2012128519.tif 000002
【特許請求の範囲】
【請求項１】
管理者又は使用者からの指示を予測して、予測した指示に係る操作画面を表示する表示装置において、
外部記憶媒体が接続されているか否かを判定する判定手段と、
該判定手段が、外部記憶媒体が接続されていると判定した場合、該外部記憶媒体に記憶されているファイルの属性を検出する検出手段と、
該検出手段の検出結果に基づき、前記指示が管理者の指示か又は使用者の指示かを決定する決定手段とを備え、
該決定手段の決定結果に基づき、前記操作画面を表示するように構成されていることを特徴とする表示装置。
【請求項２】
読み込む原稿を載置する載置部と、
該載置部に原稿が載置されているか否かを判定する原稿判定手段とを備えており、
前記決定手段が使用者の指示であると決定した場合であって、前記原稿判定手段が前記載置部に原稿が載置されていると判定した場合、原稿の読込に係る指示を受け付ける読込操作画面を表示する読込画面表示手段を備えることを特徴とする請求項１に記載の表示装置。
【請求項３】
画像データに基づく画像の出力を行う出力手段と、
前記外部記憶媒体に画像データのファイルが記憶されているか否かを判定するファイル判定手段とを備えており、
前記決定手段が使用者の指示であると決定した場合であって、前記ファイル判定手段が前記外部記憶媒体に画像データのファイルが記録されていると判定した場合、画像の出力に係る指示を受け付ける出力操作画面を表示する出力画面表示手段を備えることを特徴とする請求項２に記載の表示装置。
【請求項４】
前記外部記憶媒体の残記憶容量を検出する容量検出手段を備え、
前記決定手段が使用者の指示であると決定した場合であって、前記外部記憶媒体の残記憶容量が所定閾値以上である場合、前記読込画面表示手段は読込操作画面を表示するように構成されていることを特徴とする請求項２に記載の表示装置。
【請求項５】
管理者又は使用者からの指示を予測して、予測した指示に係る操作画面を表示する表示方法において、
外部記憶媒体が接続されているか否かを判定する判定ステップと、
該判定ステップにて外部記憶媒体が接続されていると判定した場合、該外部記憶媒体に記憶されているファイルの属性を検出する検出ステップと、
該検出ステップでの検出結果に基づき、前記指示が管理者の指示か又は使用者の指示かを決定する決定ステップと、
該決定ステップでの決定結果に基づき、前記操作画面を表示するステップと
を含むことを特徴とする表示方法。
【請求項６】
コンピュータに、管理者又は使用者からの指示を予測して、予測した指示に係る操作画面を表示させるコンピュータプログラムにおいて、
コンピュータに、外部記憶媒体が接続されているか否かを判定させる判定ステップと、
コンピュータに、前記判定ステップにて外部記憶媒体が接続されていると判定した場合、該外部記憶媒体に記憶されているファイルの属性を検出させる検出ステップと、
コンピュータに、前記検出ステップでの検出結果に基づき、前記指示が管理者の指示か又は使用者の指示かを決定させる決定ステップと、
コンピュータに、前記決定ステップでの決定結果に基づき、前記操作画面を表示させるステップと
を実行させることを特徴とするコンピュータプログラム。
【請求項７】
請求項６に記載のコンピュータプログラムを記録してあることを特徴とするコンピュータでの読み取りが可能な記録媒体。
【発明の詳細な説明】
【技術分野】
【０００１】
本発明は、管理者又は使用者からの指示を予測して、予測した指示に係る操作画面を表示する表示装置、表示方法、コンピュータプログラム及び記録媒体に関する。
【背景技術】
【０００２】
近年、科学技術の発展に伴い、電気機器も多様な機能を有するようになりつつあり、このような多機能の電気機器に対する使用者の操作性を改善するために、例えば、使用者からこれから受け付けるべき指示を予測して対応する技術が提案されている。
【０００３】
例えば、特許文献１では、複合機にＵＳＢメモリを接続した場合、以前、接続されたＵＳＢメモリに対して実行されたモード（スキャントゥメモリモード又はダイレクトプリントモード）が実行され、ユーザが動作モードを最初から指定する手間を省くことができる画像形成装置が開示されている。
【先行技術文献】
【特許文献】
【０００４】
【特許文献１】特開２００８−１８７４９５号公報
【発明の概要】
【発明が解決しようとする課題】
【０００５】
一方、可搬型記憶媒体としてＵＳＢメモリが広く普及されており、例えば、リース契約された複合機又はコンビニエンスストア等に設置されている複合機においては、管理人が該複合機のプログラムのアップグレード（ファームアップ）等を行う際、必要なプログラムが記憶されているＵＳＢメモリを該複合機に接続させてファームアップを行う場合が多い。  
【０００６】
すなわち、ＵＳＢメモリが接続された際、上述したように、これから受け付けるべき指示を予測して対応する場合においては、管理者による接続と、使用者による接続とが想定されるので、換言すれば、管理者による指示及び使用者による指示の何れもが可能であるので、指示を予測して対応することが困難である。しかしながら、上述した特許文献１の画像形成装置は、このような問題を解決することが出来ない。
【０００７】
本発明は、斯かる事情に鑑みてなされたものであり、その目的とするところは、管理者又は使用者からの指示を予測して、予測した指示に係る操作画面を表示する表示装置において、外部記憶媒体が接続されている場合、該外部記憶媒体に記憶されているファイルの属性を検出し、該検出の結果に基づき、これから受け付ける指示が管理者の指示か又は使用者の指示かを決定し、該決定の結果に基づき、予測した指示に係る操作画面を表示することにより、管理者による指示及び使用者による指示の何れもが可能であることから、受け付ける指示の予測が困難な場合においても、より確実に指示を予測し、予測した指示に係る操作画面を表示でき、使用者の動作を省いて操作性を向上させることができる表示装置、表示方法、コンピュータプログラム及び記録媒体を提供することにある。
【課題を解決するための手段】
【０００８】
本発明に係る表示装置は、管理者又は使用者からの指示を予測して、予測した指示に係る操作画面を表示する表示装置において、外部記憶媒体が接続されているか否かを判定する判定手段と、該判定手段が、外部記憶媒体が接続されていると判定した場合、該外部記憶媒体に記憶されているファイルの属性を検出する検出手段と、該検出手段の検出結果に基づき、前記指示が管理者の指示か又は使用者の指示かを決定する決定手段とを備え、該決定手段の決定結果に基づき、前記操作画面を表示するように構成されていることを特徴とする。
【０００９】
本発明にあっては、前記判定手段によって外部記憶媒体が接続されているか否かが判定され、外部記憶媒体が接続されていると判定された場合、前記検出手段が該外部記憶媒体に記憶されているファイルの属性を検出する。前記決定手段は前記検出手段の検出結果に基づき、予測される指示が管理者の指示か又は使用者の指示かを決定し、該決定手段の決定結果に基づき、操作画面が表示される。
【００１０】
本発明に係る表示装置は、読み込む原稿を載置する載置部と、該載置部に原稿が載置されているか否かを判定する原稿判定手段とを備えており、前記決定手段が使用者の指示であると決定した場合であって、前記原稿判定手段が前記載置部に原稿が載置されていると判定した場合、原稿の読込に係る指示を受け付ける読込操作画面を表示する読込画面表示手段を備えることを特徴とする。
【００１１】
本発明にあっては、前記決定手段によって予測される指示が使用者の指示であると決定した場合であって、前記原稿判定手段が前記載置部に原稿が載置されていると判定した場合は、前記読込画面表示手段が原稿の読込に係る指示を受け付ける読込操作画面を表示する。
【００１２】
本発明に係る表示装置は、画像データに基づく画像の出力を行う出力手段と、前記外部記憶媒体に画像データのファイルが記憶されているか否かを判定するファイル判定手段とを備えており、前記決定手段が使用者の指示であると決定した場合であって、前記ファイル判定手段が前記外部記憶媒体に画像データのファイルが記録されていると判定した場合、画像の出力に係る指示を受け付ける出力操作画面を表示する出力画面表示手段を備えることを特徴とする。
【００１３】
本発明にあっては、前記決定手段によって予測される指示が使用者の指示であると決定した場合であって、前記ファイル判定手段が前記外部記憶媒体に画像データのファイルが記録されていると判定した場合は、前記出力画面表示手段が画像の出力に係る指示を受け付ける出力操作画面を表示する。
【００１４】
本発明に係る表示装置は、前記外部記憶媒体の残記憶容量を検出する容量検出手段を備え、前記決定手段が使用者の指示であると決定した場合であって、前記外部記憶媒体の残記憶容量が所定閾値以上である場合、前記読込画面表示手段は読込操作画面を表示するように構成されていることを特徴とする。
【００１５】
本発明にあっては、前記決定手段によって予測される指示が使用者の指示であると決定した場合であって、前記容量検出手段によって検出された前記外部記憶媒体の残記憶容量が所定閾値以上である場合、前記読込画面表示手段が前記読込操作画面を表示する。
【００１６】
本発明に係る表示方法は、管理者又は使用者からの指示を予測して、予測した指示に係る操作画面を表示する表示方法において、外部記憶媒体が接続されているか否かを判定する判定ステップと、該判定ステップにて外部記憶媒体が接続されていると判定した場合、該外部記憶媒体に記憶されているファイルの属性を検出する検出ステップと、該検出ステップでの検出結果に基づき、前記指示が管理者の指示か又は使用者の指示かを決定する決定ステップと、該決定ステップでの決定結果に基づき、前記操作画面を表示するステップとを含むことを特徴とする。
【００１７】
本発明に係るコンピュータプログラムは、コンピュータに、管理者又は使用者からの指示を予測して、予測した指示に係る操作画面を表示させるコンピュータプログラムにおいて、コンピュータに、外部記憶媒体が接続されているか否かを判定させる判定ステップと、コンピュータに、前記判定ステップにて外部記憶媒体が接続されていると判定した場合、該外部記憶媒体に記憶されているファイルの属性を検出させる検出ステップと、コンピュータに、前記検出ステップでの検出結果に基づき、前記指示が管理者の指示か又は使用者の指示かを決定させる決定ステップと、コンピュータに、前記決定ステップでの決定結果に基づき、前記操作画面を表示させるステップとを実行させることを特徴とする。
【００１８】
本発明にあっては、外部記憶媒体が接続されているか否かが判定され、外部記憶媒体が接続されていると判定された場合、該外部記憶媒体に記憶されているファイルの属性が検出される。また、検出されたファイルの属性に基づき、予測される指示が管理者の指示か又は使用者の指示かが決定され、斯かる決定の結果に基づき、操作画面が表示される。
【００１９】
本発明に係る記録媒体は、前述の発明のコンピュータプログラムを記録してあることを特徴とする。
【００２０】
本発明にあっては、前記記録媒体に前述のコンピュータプログラムを記録する。コンピュータが前記記録媒体からコンピュータプログラムを読み出して、前述の表示装置及び表示方法がコンピュータにより実現される。
【発明の効果】
【００２１】
本発明によれば、管理者からも、使用者からも指示を受け付けることが可能であることから、これから受け付ける指示を予測して対応することが困難な場合においても、受け付ける指示をより確実に予測して、予測した指示に係る操作画面を表示できるので、使用者の動作を省いて操作性を向上させることができる。
【図面の簡単な説明】
【００２２】
【図１】本発明の実施の形態１のデジタル複合機の一例を示す斜視図である。
【図２】本発明の実施の形態１のデジタル複合機の受付部の一例を示す例示図である。
【図３】本発明の実施の形態１のデジタル複合機の要部構成を示す機能ブロック図である。
【図４】本発明の実施の形態１のデジタル複合機の制御部の要部構成を示す機能ブロック図である。
【図５】本発明の実施の形態１のデジタル複合機において、ＵＳＢメモリが接続された場合の処理を説明するフローチャートである。
【図６】本発明の実施の形態２のデジタル複合機において、ＵＳＢメモリが接続された場合の処理を説明するフローチャートである。
【図７】本発明の実施の形態３のデジタル複合機において、ＵＳＢメモリが接続された場合の処理を説明するフローチャートである。
【図８】本発明の実施の形態４のデジタル複合機の要部構成を示す機能ブロック図である。
【発明を実施するための形態】
【００２３】
以下に、本発明の実施の形態に係る、表示装置、表示方法及びコンピュータプログラムを、デジタル複合機に適用した場合を例として、図面に基づいて詳述する。
【００２４】
（実施の形態１）
図１は本発明の実施の形態１のデジタル複合機１００の一例を示す斜視図である。本発明の実施の形態１に係るデジタル複合機１００は、最上側に設けられた原稿読込部１０、その下側に設けられ記録用紙に画像を形成する画像形成部２０、画像形成部２０により画像が形成された記録用紙が排出される排紙部４０、及び排紙部４０の下側に設けられ、画像形成部２０に記録用紙を供給する給紙部３０等を備える機器本体１と、機器本体１を操作するための使用者の指示を受け付ける受付部７とを備えている。
【００２５】
原稿読込部１０は、複数枚のシートからなる原稿を順次的に取込むためのＡＤＦ（Automatic Document Feeder）、及び読み込むべき原稿を整列させた状態で載置するための原稿台（ＯＣ）、前記ＡＤＦによって取込まれた原稿又は前記原稿台に載置された原稿の画像を読み込む読込ユニット１３及び裏読込ユニット等を備えている。
【００２６】
前記ＡＤＦは、読込用の原稿をフェイスアップの状態で積層するための原稿トレイ１１、原稿トレイ１１に積層された原稿を最上層から１枚ずつ取込むためのピックアップローラ、該ピックアップローラにより取込んだ原稿を前記原稿台まで搬送する搬送ローラ、画像の読込が済んだ原稿が排出される排紙トレイ１４、原稿トレイ１１上の原稿の有無を検知する原稿検知センサ１２等を備えている。
【００２７】
原稿読込部１０に搭載されている読込ユニット１３は、原稿の表面に記録されている画像を読み込むために光源ユニット、ミラーユニット、結像レンズ、及びＣＣＤ等を備えている。
【００２８】
ＡＤＦから供給される原稿のシートを読み込む場合には、前記光源ユニットを所定の読み込み位置に保持した状態で画像を読み込み、前記原稿台にセットされた原稿を読み込む場合には、該光源ユニットを該原稿台の面に平行に走査させるように構成されている。また、原稿読込部１０（読込ユニット１３）の中には、前記原稿台に原稿が載置されているか否かを検出する原稿センサ（図示せず）が設けられている。
【００２９】
画像形成部２０は、感光体ドラム、該感光体ドラムを帯電させる帯電器、帯電した感光体ドラム上に潜像を書き込むレーザ書込装置、感光体ドラム上の潜像を現像する現像器、感光体ドラム上に残留している現像剤を除去して感光体ドラムを再生するクリーニングユニット、感光体ドラム表面のトナーを記録用紙に転写する転写装置等からなる電子写真方式のプロセス部を備えており、このプロセス部に用紙を搬送することによって画像形成を行う。
【００３０】
更に、画像形成部２０の下側には給紙部３０が設置されており、複数種の用紙を収容するために複数の給紙カセットが設けられている。給紙部３０では、夫々の給紙カセットに収容された用紙が１枚ずつ分離給送され、画像形成部２０の前記プロセス部へ搬送される。
【００３１】
読込ユニット１３の正面側に取り付けられ、使用者からの指示を受け付ける受付部７は、使用者による操作が行われる操作部６と、使用者に対して報知すべき情報を表示する表示部５とにより構成されている。図２は本発明の実施の形態１のデジタル複合機１００の受付部７の一例を示す例示図である。図２の例においては、表示部５に、コピージョブを実行するコピーモードのＴＯＰ階層が表示されている。
【００３２】
操作部６には、コピージョブを実行するためのコピーキー、プリントジョブを実行するためのプリントキー、ファックシミリジョブを実行するためのファックスキー、ジョブの処理状況を表示部５に表示するためのジョブ状況キー、スタートキー、テンキー、電源キー等のハードキーが設けられている。表示部５は、例えば、ＬＣＤ又はＥＬ（Electroluminescence）パネル等からなり、操作部６の操作に応じた画像表示、ジョブの実行、及び異常等の機器本体１の動作状況に係る画像表示が行われる。また、各表示部５にはジョブの指示に係る操作画面が表示される。
【００３３】
また、表示部５は、いわゆるタッチパネルを備えており、表示部５の画面は指示毎に割り当てられた複数の所定領域を有し、該所定領域がいわゆるソフトキーとして機能する。従って、使用者は何れかのソフトキーを指先等にて触れることにより、使用者から当該ソフトキーに係る指示を受け付けるように構成されている。
【００３４】
また、読込ユニット１３の正面側には、外部からのデータの授受を行うためのＵＳＢポート４を設けている。ＵＳＢポート４を介してＵＳＢメモリＭのような可搬形記憶媒体との接続及び周辺機器との接続を行う。
【００３５】
図３は本発明の実施の形態１のデジタル複合機１００の要部構成を示す機能ブロック図であり、図４は制御部２の要部構成を示す機能ブロック図である。デジタル複合機１００は制御部２を備えており、制御部２には、原稿読込部１０、画像形成部２０、Ｉ／Ｆ制御部３、記憶部９、表示制御部８等がバスＮを介して接続されている。
【００３６】
記憶部９は、例えば、フラッシュメモリ、ＥＥＰＲＯＭ、ＨＤＤ、ＭＲＡＭ（磁気抵抗メモリ）、ＦｅＲＡＭ（強誘電体メモリ）、又は、ＯＵＭ等の不揮発性の記憶媒体により構成されている。記憶部９に記憶されるデータとしては、画像形成部２０を介して画像形成すべき画像データ等が記憶されている。
【００３７】
また、記憶部９には、所定のジョブ（例えば、コピージョブ、プリントジョブ、原稿読込ジョブ等）を実行する際において、使用者からの指示を受け付けるための操作画面に係る画像データを記憶している。記憶部９は、例えば、プリントジョブにおける指示を受け付ける出力操作画面に係る出力操作画面データ、原稿読込ジョブにおける指示を受け付ける読込操作画面に係る読込操作画面データが記憶されている。更に、記憶部９には、管理者からの指示を受け付けるための操作画面である管理操作画面に係る画像データを記憶している。
【００３８】
表示制御部８は、ＤＳＰ（Digital Signal Processor）のようなプロセッサにより構成され、表示部５への画像表示を制御する。例えば、後述するＣＰＵ２１の指示に応じて表示部５に表示すべき画像の画像データを生成する。例えば、表示制御部８は記憶部９に記憶されている、前記読込操作画面データ、出力操作画面データ及び管理操作画面データ等に基づき、表示部５に表示すべき各種操作画面の画像データを生成し、生成された画像データに係る操作画面を表示部５に表示する。
【００３９】
また、表示制御部８は、出力画面表示部８１と、読込画面表示部８２と、管理画面表示部８３を備えている。出力画面表示部８１は、ＣＰＵ２１の指示に応じて表示部５に出力操作画面を表示する。例えば、該出力操作画面にはプリントジョブにおける指示を受け付けるために、対象ファイルを選択するファイル選択ソフトキー、印刷開始を指示する印刷ソフトキー、印刷枚数を設定する枚数ソフトキー等が設けられており、使用者が何れかのソフトキーをタッチ操作した場合、表示部５のタッチパネルを介して、ＣＰＵ２１は当該ソフトキーの位置に対応する指示を受け付ける。
【００４０】
読込画面表示部８２は、ＣＰＵ２１の指示に応じて表示部５に読込操作画面を表示する。例えば、該読込操作画面には使用者から原稿読込ジョブに係る指示を受け付けるために、拡大又は縮小を指示する変倍率ソフトキー、読込開始を指示する読込ソフトキー、読込の解像度を決定する解像度ソフトキー等が設けられており、使用者が何れかのソフトキーをタッチ操作した場合、表示部５のタッチパネルを介して、ＣＰＵ２１は当該ソフトキーの位置に対応する指示を受け付ける。
【００４１】
管理画面表示部８３は、ＣＰＵ２１の指示に応じて表示部５に管理操作画面を表示する。例えば、該管理操作画面には管理者からメンテナンスに係る指示を受け付けるために、ファームアップソフトキー等が設けられており、管理者が何れかのソフトキーをタッチ操作した場合、表示部５のタッチパネルを介して、ＣＰＵ２１は当該ソフトキーの位置に対応する指示を受け付ける。
【００４２】
Ｉ／Ｆ制御部３は、ＵＳＢポート４を介してＵＳＢメモリＭのような可搬形記憶媒体が接続する際における制御を行う。後述する接続判定部２６は、Ｉ／Ｆ制御部３を介してＵＳＢメモリＭが接続されているか否かを判定することが出来る。
【００４３】
制御部２は、ＣＰＵ２１、ＲＯＭ２２、ＲＡＭ２４、属性検出部２３、指示決定部２５、接続判定部２６、原稿判定部２７、ファイル判定部２８及び容量検出部２９等を備えている。
【００４４】
ＲＯＭ２２には各種の制御プログラム、演算用のパラメータのうちの基本的に固定のデータ等が予め格納されており、ＲＡＭ２４はデータを一時的に記憶し、記憶順、記憶位置等に関係なく読み出すことが可能である。また、ＲＡＭ２４は、例えば、ＲＯＭ２２から読み出されたプログラム、該プログラムを実行することにより発生する各種データ、該実行の際適宜変化するパラメータ等を記憶する。
【００４５】
ＣＰＵ２１は、ＲＯＭ２２に予め格納されている制御プログラムをＲＡＭ２４上にロードして実行することによって、バスＮを介して前記各種ハードウェアの制御を行い、装置全体を本発明のデジタル複合機１００として動作させる。
【００４６】
接続判定部２６は、Ｉ／Ｆ制御部３を介して、ＵＳＢポート４にＵＳＢメモリＭのような外部記憶媒体が接続されているか否かを判定する。
【００４７】
属性検出部２３は、接続判定部２６によってＵＳＢポート４にＵＳＢメモリＭが接続されたと判定された場合、ＵＳＢメモリＭが記憶しているファイルの属性を検出する。詳しくは、属性検出部２３は、ＵＳＢメモリＭが記憶しているファイルのファイル名（拡張子を含む）を読み出し、夫々の拡張子を抽出する。更に、属性検出部２３は、抽出された拡張子に基づき、ＵＳＢメモリＭが記憶しているファイルの属性を検出する。例えば、拡張子が「ｓｆｕ」である場合は管理者用（属性）であり、  「ＰＣＬ」、「ＰＯＳＴＳＣＲＩＰＴ」、「ＰＤＦ」、「ＴＩＦＦ」、「ＸＰＳ」、「ＪＰＧ」、「ＸＰＳ」等である場合は一般の使用者用（属性）であるとの検出を行う。
【００４８】
指示決定部２５は、属性検出部２３によって検出された各ファイルの属性に基づき、これから受け付ける指示が管理者による指示であるか、又は使用者による指示であるかを予測して決定する。例えば、属性検出部２３によって、全てのファイルの属性が管理者用であると検出された場合、又は、属性が管理者用であるファイルの割合が所定範囲以上である場合、指示決定部２５は、これから受け付ける指示が管理者による指示であると決定し、その他の場合は、これから受け付ける指示が使用者による指示であると決定する。
【００４９】
原稿判定部２７は、前記原稿台（載置部）及び前記ＡＤＦの原稿トレイ１１（載置部）の何れかに原稿が載置されているか否かを判定する。原稿判定部２７は、原稿読込部１０の前記原稿センサ及び原稿トレイ１１の原稿検知センサ１２を監視することによって、前記原稿台及びＡＤＦの原稿トレイ１１の何れかに原稿が載置されているか否かを判定する。
【００５０】
ファイル判定部２８はＵＳＢメモリＭが画像データのファイルを記憶しているか否かを判定する。例えば、ファイル判定部２８は、各ファイルの拡張子に基づき、斯かる判定を行う。なお、これに限るものでなく、ファイル判定部２８が、ＵＳＢメモリＭが記憶しているすべてのファイルの中の画像データのファイルの割合が所定値以上であるか否かを判定するように構成し、斯かる判定の結果に基づき、以降の処理が行われるようにしても良い。
【００５１】
容量検出部２９は、ＵＳＢポート４に接続されたＵＳＢメモリＭの総記憶容量と、既に使用されている使用記憶容量と、未だ使用されていない残記憶容量の検出を行う。なお、これに限るものでない。例えば、容量検出部２９が、前記総記憶容量に対する残記憶容量の割合を検出するように構成し、該割合に基づき、以降の処理が行われるようにしても良い。
【００５２】
一方、本発明の実施の形態１のデジタル複合機１００においては、ＵＳＢメモリＭがＵＳＢポート４に差し込まれて接続された場合、使用者による所定ジョブの実行又は管理者によるメンテナンス（例えば、ファームアップ）が想定できる。また、ＵＳＢメモリＭがＵＳＢポート４に差し込まれた場合に、使用者から受け付ける指示として予測されるジョブは、ＵＳＢメモリＭに記憶されているファイルに基づいて画像の形成を行うプリントジョブと、所定の原稿を読み込んで該ＵＳＢメモリＭに記憶させるスキャンジョブとに大別される。
【００５３】
前記プリントジョブでは、ＵＳＢメモリＭに記憶されている画像データに基づく画像が画像形成部２０によって記録用紙上に形成されて出力される。また、前記プリントジョブでは、記憶部９に記憶されているページ単位の画像データが前述と同様、画像形成部２０へと転送され、該画像データに基づく画像が画像形成部２０によって記録用紙上に形成されて出力される。
【００５４】
また、前記スキャンジョブでは、前記原稿台及びＡＤＦの原稿トレイ１１の何れかに載置された原稿であって、原稿読込部１０によって読み込まれた原稿の画像データを記憶部９に記憶される。そして、再び記憶部９からＵＳＢメモリＭへと送信され、ＵＳＢメモリＭに記憶される。
【００５５】
図５は本発明の実施の形態１のデジタル複合機１００において、ＵＳＢメモリＭが接続された場合の処理を説明するフローチャートである。
【００５６】
接続判定部２６は、Ｉ／Ｆ制御部３を介して、ＵＳＢポート４にＵＳＢメモリＭのような外部記憶媒体が接続されているか否かを判定する（ステップＳ１０１）。
【００５７】
接続判定部２６によってＵＳＢポート４にＵＳＢメモリＭのような外部記憶媒体が接続されていないと判定した場合（ステップＳ１０１：ＮＯ）、斯かる処理は待機される。
【００５８】
一方、接続判定部２６によってＵＳＢポート４にＵＳＢメモリＭのような外部記憶媒体が接続されていると判定された場合（ステップＳ１０１：ＹＥＳ）、属性検出部２３がＵＳＢポート４に接続されたＵＳＢメモリＭが記憶しているファイルの属性を検出する（ステップＳ１０２）。属性検出部２３による属性の検出については、上述したとおりであり、詳しい説明を省略する。
【００５９】
次いで、指示決定部２５は、属性検出部２３によって検出された各ファイルの属性に基づき、これから受け付ける指示が管理者による指示であるか、又は使用者による指示であるかを決定する（ステップＳ１０３）。指示決定部２５による該決定については既に上述しており、詳しい説明を省略する。
【００６０】
指示決定部２５によって、これから受け付ける指示が管理者による指示であると判定された場合（ステップＳ１０３：ＹＥＳ）、ＣＰＵ２１は管理画面表示部８３に前記管理操作画面を表示するよう指示する。管理画面表示部８３は、ＣＰＵ２１の指示に応じて表示部５に管理操作画面を表示して（ステップＳ１０７）、処理を終了する。
【００６１】
以降、管理者は、例えば、表示部５に表示された管理操作画面を適宜操作することによって、本発明のデジタル複合機１００のメンテナンスを行う。
【００６２】
一方、指示決定部２５によって、これから受け付ける指示が管理者による指示でないと判定された場合（ステップＳ１０３：ＮＯ）、すなわち、これから受け付ける指示が使用者による指示であると判定された場合、原稿判定部２７は、上述した方法により、前記原稿台（ＯＣ）又はＡＤＦの原稿トレイ１１の何れかに原稿が載置されているか否かを判定する（ステップＳ１０４）。
【００６３】
原稿判定部２７によって前記原稿台（ＯＣ）又はＡＤＦの原稿トレイ１１の何れにも原稿が載置されていないと判定された場合（ステップＳ１０４：ＮＯ）、ＣＰＵ２１は出力画面表示部８１に前記出力操作画面を表示するよう指示する。出力画面表示部８１は、ＣＰＵ２１の指示に応じて表示部５に出力操作画面を表示して（ステップＳ１０６）、処理を終了する。
【００６４】
以降、使用者は、例えば、表示部５に表示された出力操作画面を適宜操作することにより、ＵＳＢメモリＭが記憶している画像データの何れかを選択し、画像形成部２０が該画像データに基づく画像の記録用紙への出力を行う。
【００６５】
一方、原稿判定部２７によって前記原稿台（ＯＣ）又はＡＤＦの原稿トレイ１１の何れかに原稿が載置されていると判定された場合（ステップＳ１０４：ＹＥＳ）、ＣＰＵ２１は読込画面表示部８２に前記読込操作画面を表示するよう指示する。読込画面表示部８２は、ＣＰＵ２１の指示に応じて表示部５に読込操作画面を表示して（ステップＳ１０５）、処理を終了する。
【００６６】
以降、使用者は、例えば、表示部５に表示された読込操作画面を適宜操作することにより、前記原稿台及びＡＤＦの原稿トレイ１１の何れかに載置された原稿の、原稿読込部１０による読み込みを行い、読み込まれた原稿の画像データをＵＳＢメモリＭに記憶する。
【００６７】
（実施の形態２）
図６は本発明の実施の形態２のデジタル複合機１００において、ＵＳＢメモリＭが接続された場合の処理を説明するフローチャートである。
【００６８】
接続判定部２６は、Ｉ／Ｆ制御部３を介して、ＵＳＢポート４にＵＳＢメモリＭのような外部記憶媒体が接続されているか否かを判定する（ステップＳ２０１）。
【００６９】
接続判定部２６によってＵＳＢポート４にＵＳＢメモリＭのような外部記憶媒体が接続されていないと判定した場合（ステップＳ２０１：ＮＯ）、斯かる処理は待機される。一方、接続判定部２６によってＵＳＢポート４にＵＳＢメモリＭのような外部記憶媒体が接続されていると判定された場合（ステップＳ２０１：ＹＥＳ）、属性検出部２３がＵＳＢポート４に接続されたＵＳＢメモリＭが記憶しているファイルの属性を検出する（ステップＳ２０２）。
【００７０】
次いで、指示決定部２５は、属性検出部２３によって検出された各ファイルの属性に基づき、これから受け付ける指示が管理者による指示であるか、又は使用者による指示であるかを決定する（ステップＳ２０３）。
【００７１】
指示決定部２５によって、これから受け付ける指示が管理者による指示であると判定された場合（ステップＳ２０３：ＹＥＳ）、ＣＰＵ２１は管理画面表示部８３に前記管理操作画面を表示するよう指示し、管理画面表示部８３は表示部５に管理操作画面を表示して（ステップＳ２０７）、処理を終了する。
【００７２】
一方、指示決定部２５によって、これから受け付ける指示が管理者による指示でないと判定された場合（ステップＳ２０３：ＮＯ）、すなわち、これから受け付ける指示が使用者による指示であると判定された場合、ファイル判定部２８は、上述した方法により、ＵＳＢメモリＭが画像データのファイルを記憶しているか否かを判定する（ステップＳ２０４）。
【００７３】
ファイル判定部２８によってＵＳＢメモリＭが画像データのファイルを記憶していないと判定された場合（ステップＳ２０４：ＮＯ）、ＣＰＵ２１は読込画面表示部８２に前記読込操作画面を表示するよう指示し、読込画面表示部８２は表示部５に読込操作画面を表示して（ステップＳ２０６）、処理を終了する。
【００７４】
一方、ファイル判定部２８によってＵＳＢメモリＭが画像データのファイルを記憶していると判定された場合（ステップＳ２０４：ＹＥＳ）、ＣＰＵ２１は出力画面表示部８１に前記出力操作画面を表示するよう指示し、出力画面表示部８１は表示部５に出力操作画面を表示して（ステップＳ２０５）、処理を終了する。
【００７５】
（実施の形態３）
図７は本発明の実施の形態３のデジタル複合機１００において、ＵＳＢメモリＭが接続された場合の処理を説明するフローチャートである。
【００７６】
接続判定部２６は、Ｉ／Ｆ制御部３を介して、ＵＳＢポート４にＵＳＢメモリＭのような外部記憶媒体が接続されているか否かを判定する（ステップＳ３０１）。
【００７７】
接続判定部２６によってＵＳＢポート４にＵＳＢメモリＭのような外部記憶媒体が接続されていないと判定した場合（ステップＳ３０１：ＮＯ）、斯かる処理は待機される。一方、接続判定部２６によってＵＳＢポート４にＵＳＢメモリＭのような外部記憶媒体が接続されていると判定された場合（ステップＳ３０１：ＹＥＳ）、属性検出部２３がＵＳＢポート４に接続されたＵＳＢメモリＭが記憶しているファイルの属性を検出する（ステップＳ３０２）。
【００７８】
次いで、指示決定部２５は、属性検出部２３によって検出された各ファイルの属性に基づき、これから受け付ける指示が管理者による指示であるか、又は使用者による指示であるかを決定する（ステップＳ３０３）。
【００７９】
指示決定部２５によって、これから受け付ける指示が管理者による指示であると判定された場合（ステップＳ３０３：ＹＥＳ）、ＣＰＵ２１は管理画面表示部８３に前記管理操作画面を表示するよう指示し、管理画面表示部８３は表示部５に管理操作画面を表示して（ステップＳ３０８）、処理を終了する。
【００８０】
一方、指示決定部２５によって、これから受け付ける指示が管理者による指示でないと判定された場合（ステップＳ３０３：ＮＯ）、すなわち、これから受け付ける指示が使用者による指示であると判定された場合、ＣＰＵ２１が、容量検出部２９に、ＵＳＢポート４に接続されたＵＳＢメモリＭの残記憶容量を検出するように指示する。ＣＰＵ２１の指示に応じて、容量検出部２９は残記憶容量の検出を行う（ステップＳ３０４）。
【００８１】
次いで、ＣＰＵ２１は、容量検出部２９による検出結果に基づき、ＵＳＢメモリＭの残記憶容量が所定の閾値以上であるか否かを判定する（ステップＳ３０５）。
【００８２】
ＣＰＵ２１はＵＳＢメモリＭの残記憶容量が所定の閾値以上でないと判定した場合（ステップＳ３０５：ＮＯ）、出力画面表示部８１に前記出力操作画面を表示するよう指示する。出力画面表示部８１は、ＣＰＵ２１の指示に応じて表示部５に出力操作画面を表示して（ステップＳ３０７）、処理を終了する。
【００８３】
一方、ＣＰＵ２１はＵＳＢメモリＭの残記憶容量が所定の閾値以上であると判定した場合（ステップＳ３０５：ＹＥＳ）、読込画面表示部８２に前記読込操作画面を表示するよう指示する。読込画面表示部８２は、ＣＰＵ２１の指示に応じて表示部５に読込操作画面を表示して（ステップＳ３０６）、処理を終了する。
【００８４】
（実施の形態４）
図８は本発明の実施の形態４のデジタル複合機１００の要部構成を示す機能ブロック図である。実施の形態４のデジタル複合機１００は、動作を行うためのコンピュータプログラムが、Ｉ／Ｆ１５を介してＣＤ−ＲＯＭ等の可搬型記録媒体Ａで提供することも可能であるように構成されている。さらに、実施の形態４のデジタル複合機１００は、前記コンピュータプログラムを、図示しない外部装置から通信部１４を介してダウンロードすることも可能であるように構成されている。以下に、その内容を説明する。
【００８５】
実施の形態４のデジタル複合機１００は外装（又は内装）の記録媒体読み取り装置（図示せず）を備えており、該記録媒体読み取り装置に、外部記憶媒体が接続されているか否かを判定させ、外部記憶媒体に記憶されているファイルの属性を検出させ、指示が管理者の指示か又は使用者の指示かを決定させ、決定結果に基づき、操作画面を表示させるプログラム等が記録された可搬型記録媒体Ａを挿入して、例えば、ＣＰＵ２１がＲＯＭ２２にこのプログラムをインストールする。斯かるプログラムはＲＡＭ２４にロードして実行される。これにより、実施の形態１の本発明のデジタル複合機１００として機能する。
【００８６】
前記記録媒体としては、いわゆるプログラムメディアであっても良く、磁気テープ及びカセットテープ等のテープ系、フレキシブルディスク及びハードディスク等の磁気ディスク並びにＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ、ＥＥＰＲＯＭ、フラッシュＲＯＭ等による半導体メモリを含めた固定的にプログラムコードを担持する媒体であっても良い。
【００８７】
通信部１４を介してネットワークからプログラムコードをダウンロードするように流動的にプログラムコードを担持する媒体であっても良い。なお、このように通信ネットワークからプログラムをダウンロードする場合には、そのダウンロード用のプログラムは予め本体装置に格納しておくか、あるいは別な記録媒体からインストールされるものであっても良い。なお、本発明は、前記プログラムコードが電子的な伝送で具現化された、搬送波に埋め込まれたコンピュータデータ信号の形態でも実現され得る。
【００８８】
実施の形態１と同様の部分については、同一の符号を付して詳細な説明を省略する。
【符号の説明】
【００８９】
４  ＵＳＢポート
５  表示部
９  記憶部
１０  原稿読込部
１１  原稿トレイ（載置部）
２０  画像形成部（出力手段）
２１  ＣＰＵ
２３  属性検出部（検出手段）
２５  指示決定部（決定手段）
２６  接続判定部（判定手段）
２７  原稿判定部（原稿判定手段）
２８  ファイル判定部（ファイル判定手段）
２９  容量検出部（容量検出手段）
８１  出力画面表示部（出力画面表示手段）
８２  読込画面表示部（読込画面表示手段）
８３  管理画面表示部
１００  デジタル複合機
【図１】
2012128519.tif 000003
【図２】
2012128519.tif 000004
【図３】
2012128519.tif 000005
【図４】
2012128519.tif 000006
【図５】
2012128519.tif 000007
【図６】
2012128519.tif 000008
【図７】
2012128519.tif 000009
【図８】
2012128519.tif 000010